(57)【要約】  サービス提供システム１０００は、事業者が属する対象業種、及び事業者の業務における対象課題を取得する対象情報取得部１２１１と、他業種の業務における課題である他業種課題と、複数の他業種課題の間の包含関係である他業種課題関係と、他業種課題を解決する他業種サービスとを記憶する他業種情報記憶部１４００と、他業種課題を出力する課題出力部１２２１と、他業種課題関係に基づき、複数の他業種課題のうち、対象課題に対応する他業種課題と関連性が高い他業種課題を関連他業種課題として抽出する関連他業種課題抽出部１３２１と、抽出した関連他業種課題を解決する他業種サービスのうち、対象業種に対応する他業種の業務における関連他業種サービスを抽出する他業種サービス抽出部１３３１と、抽出した関連他業種サービスを出力する他業種サービス出力部１２３１と、を有する。
2017168527.tif 000002
【特許請求の範囲】
【請求項１】
プロセッサ及びメモリを有し、事業者に、当該事業者の業務における課題を解決するためのサービス情報を提供するサービス提供システムであって、
前記事業者が属する業種である対象業種、及び前記事業者の業務における課題である対象課題を取得する対象情報取得部と、
前記対象業種と異なる業種である他業種の業務における課題である他業種課題と、複数の前記他業種課題の間の包含関係である他業種課題関係と、前記他業種課題を解決するサービスである他業種サービスとを記憶する他業種情報記憶部と、
前記他業種課題を出力する課題出力部と、
前記他業種課題関係に基づき、前記複数の他業種課題のうち、前記対象課題に対応する前記他業種課題と関連性が高い前記他業種課題を関連他業種課題として抽出する関連他業種課題抽出部と、
前記抽出した関連他業種課題を解決する前記他業種サービスのうち、前記対象業種に対応する前記他業種の業務における前記他業種サービスを抽出する他業種サービス抽出部と、
前記抽出した他業種サービスを出力する他業種サービス出力部と、
を有する、サービス提供システム。
【請求項２】
請求項１に記載のサービス提供システムであって、
前記関連他業種課題として、前記対象課題に対応する前記他業種課題を包含する前記他業種課題を抽出するか、又は、前記対象課題に対応する前記他業種課題に包含される前記他業種課題を抽出するかの選択を受け付ける課題抽象度選択部を備え、
前記関連他業種課題抽出部は、前記選択の結果に基づき、前記関連他業種課題としての前記他業種課題を抽出する、
サービス提供システム。
【請求項３】
請求項１に記載のサービス提供システムであって、
前記課題出力部は、前記複数の他業種課題のうち少なくとも一つの選択を受け付け、
前記関連他業種課題抽出部は、前記選択を受け付けた他業種課題に対応する前記他業種課題と前記関連性が高い前記他業種課題を前記関連他業種課題として抽出し、
前記課題出力部は、前記抽出した他業種課題を出力する、
サービス提供システム。
【請求項４】
請求項１に記載のサービス提供システムであって、
前記抽出された前記他業種における他業種サービスを解決した事例において利用された製品又は技術に関する情報を前記抽出された他業種と共に出力するサービス事例出力部を備える、
サービス提供システム。
【請求項５】
請求項１に記載のサービス提供システムであって、
前記抽出された前記他業種における他業種サービスにおいて利用された製品又は技術に関する情報を、前記対象業種における業務と対応づけて記憶するサービス事例登録部を備える、サービス提供システム
【請求項６】
請求項１に記載のサービス提供システムであって、
前記課題出力部は、
前記複数の他業種課題のうち、一の前記他業種課題が示す課題と他の前記他業種課題が示す課題との間の包含関係を、前記他業種課題関係に基づき算出し、算出した前記包含関係に基づき、前記複数の他業種課題が示す課題における、前記一の他業種課題が示す課題の相対的な抽象性を算出し、算出した抽象性を示す情報を出力する、
サービス提供システム。
【請求項７】
請求項１に記載のサービス提供システムであって、
前記関連他業種課題抽出部は、前記関連性を算出する業務関連度算出部を備え、
前記業務関連度算出部は、
前記複数の他業種課題のそれぞれについて、それぞれの前記他業種サービスにおける業務が前記対応する他業種課題における業務に含まれているか否かを判断すると共に、前記それぞれの他業種サービスにおける業務に対する評価値と前記対象業種における業務の評価値との間の類似性を判断し、これらの判断に基づき、前記複数の他業種課題のそれぞれについての前記関連性を算出し、
前記算出した関連性が最も高い前記他業種課題を前記関連他業種課題として抽出する、
サービス提供システム。
【請求項８】
請求項１に記載のサービス提供システムであって、
前記関連他業種課題抽出部は、前記対象課題に対応する前記他業種課題を取得し、取得した前記他業種課題を包含する前記他業種課題と、前記包含する前記他業種課題に包含され、かつ前記取得した他業種課題とは異なる前記他業種課題とをそれぞれ前記関連他業種課題として抽出する、
サービス提供システム。
【請求項９】
請求項１に記載のサービス提供システムであって、
前記関連他業種課題抽出部は、前記対象課題に対応する前記他業種課題を取得し、取得した前記他業種課題に包含される前記他業種課題を、前記関連他業種課題として抽出する、
サービス提供システム。
【請求項１０】
請求項１に記載のサービス提供システムであって、
前記課題出力部は、前記抽出した他業種課題のうちの一部を省略して出力する、
サービス提供システム。
【請求項１１】
請求項１に記載のサービス提供システムであって、
前記関連他業種課題として、前記対象課題に対応する前記他業種課題を包含する前記他業種課題を抽出するか、又は、前記対象課題に対応する前記他業種課題に包含される前記他業種課題を抽出するかの選択を受け付ける課題抽象度選択部と、
前記抽出された前記他業種における他業種サービスを解決した事例において利用された製品又は技術に関する情報を前記抽出された他業種と共に出力するサービス事例出力部と、
前記抽出された前記他業種における他業種サービスにおいて利用された製品又は技術に関する情報を、前記対象業種における業務と対応づけて記憶するサービス事例登録部とをさらに備え、
前記関連他業種課題抽出部は、前記選択の結果に基づき、前記関連他業種課題としての前記他業種課題を抽出し、
前記課題出力部は、前記複数の他業種課題のうち少なくとも一つの選択を受け付け、
前記関連他業種課題抽出部は、前記選択を受け付けた他業種課題に対応する前記他業種課題と関連性が高い前記他業種課題を前記関連他業種課題として抽出し、
前記課題出力部は、前記抽出した他業種課題を出力し、
前記課題出力部は、
前記複数の他業種課題のうち、一の前記他業種課題が示す課題と他の前記他業種課題が示す課題との間の包含関係を、前記他業種課題関係に基づき算出し、算出した前記包含関係に基づき、前記複数の他業種課題が示す課題における、前記一の他業種課題が示す課題の相対的な抽象性を算出し、算出した抽象性を示す情報を出力し、
前記関連他業種課題抽出部は、前記関連性を算出する業務関連度算出部を備え、
前記業務関連度算出部は、
前記複数の他業種課題のそれぞれについて、それぞれの前記他業種サービスにおける業務が前記対応する他業種課題における業務に含まれているか否かを判断すると共に、前記それぞれの他業種サービスにおける業務に対する評価値と前記対象業種における業務の評価値との間の類似性を判断し、これらの判断に基づき、前記複数の他業種課題のそれぞれについての前記関連性を算出し、
前記算出した関連性が最も高い前記他業種課題を前記関連他業種課題として抽出し、
前記関連他業種課題抽出部は、前記対象課題に対応する前記他業種課題を取得し、取得した前記他業種課題を包含する前記他業種課題と、前記包含する前記他業種課題に包含され、かつ前記取得した他業種課題とは異なる前記他業種課題とをそれぞれ前記関連他業種課題として抽出し、
前記関連他業種課題抽出部は、前記対象課題に対応する前記他業種課題を取得し、取得した前記他業種課題に包含される前記他業種課題を、前記関連他業種課題として抽出し、
前記課題出力部は、前記抽出した他業種課題のうちの一部を省略して出力する、
サービス提供システム。
【請求項１２】
プロセッサ及びメモリを有し、事業者に、当該事業者の業務における課題を解決するためのサービス情報を提供するサービス提供システムにおけるサービス提供方法であって、
前記サービス提供システムが、
前記事業者が属する業種である対象業種、及び前記事業者の業務における課題である対象課題を取得し、
前記対象業種と異なる業種である他業種の業務における課題である他業種課題と、複数の前記他業種課題の間の包含関係である他業種課題関係と、前記他業種課題を解決するサービスである他業種サービスとを記憶し、
前記他業種課題を出力し、
前記他業種課題関係に基づき、前記複数の他業種課題のうち、前記対象課題に対応する前記他業種課題と関連性が高い前記他業種課題を関連他業種課題として抽出し、
前記抽出した他業種課題を解決する前記他業種サービスのうち、前記対象業種に対応する前記他業種の業務における前記他業種サービスを抽出し、
前記抽出した他業種サービスを出力する、
サービス提供方法。
【請求項１３】
請求項１２に記載のサービス提供方法であって、
前記サービス提供システムが、
前記関連他業種課題として、前記対象課題に対応する前記他業種課題を包含する前記他業種課題を抽出するか、又は、前記対象課題に対応する前記他業種課題に包含される前記他業種課題を抽出するかの選択を受け付け、
前記選択の結果に基づき、前記関連他業種課題としての前記他業種課題を抽出する、
サービス提供方法。
【請求項１４】
プロセッサ及びメモリを有し、事業者に、当該事業者の業務における課題を解決するためのサービス情報を提供するサービス提供システムにおいて、
前記サービス提供システムに、
前記事業者が属する業種である対象業種、及び前記事業者の業務における課題である対象課題を取得する対象情報取得機能と、
前記対象業種と異なる業種である他業種の業務における課題である他業種課題と、複数の前記他業種課題の間の包含関係である他業種課題関係と、前記他業種課題を解決するサービスである他業種サービスとを記憶する他業種情報記憶機能と、
前記他業種課題を出力する課題出力機能と、
前記他業種課題関係に基づき、前記複数の他業種課題のうち、前記対象課題に対応する前記他業種課題と関連性が高い前記他業種課題を関連他業種課題として抽出する関連他業種課題抽出機能と、
前記抽出した他業種課題を解決する前記他業種サービスのうち、前記対象業種に対応する前記他業種の業務における前記他業種サービスを抽出する他業種サービス抽出機能と、
前記抽出した他業種サービスを出力する他業種サービス出力機能と、
を実行させる、サービス提供プログラム。
【請求項１５】
請求項１４に記載のサービス提供プログラムであって、
前記関連他業種課題として、前記対象課題に対応する前記他業種課題を包含する前記他業種課題を抽出するか、又は、前記対象課題に対応する前記他業種課題に包含される前記他業種課題を抽出するかの選択を受け付ける課題抽象度選択機能を実行させ、
前記関連他業種課題抽出機能は、前記選択の結果に基づき、前記関連他業種課題としての前記他業種課題を抽出する機能である、
サービス提供プログラム。
【発明の詳細な説明】
【技術分野】
【０００１】
本発明は、サービス提供システム、サービス提供方法、及びサービス提供プログラムに関する。
【背景技術】
【０００２】
近年の製造業においては、単に顧客に製品の性能、機能を提供するだけでなく、顧客が感じる価値を最大限引き出すように製品・技術を組合わせてこれらを提供するサービスが求められている。【０００３】
これを実現しようとする技術として、例えば特許文献１には、「サービスと顧客価値の関係を表現するサービス・バリュー・マップを構築するために、サービスの構成要素を階層化して記述すると共に、それらの依存関係を記述する手法」により、顧客利益を最大化するサービスの構成要素を検討可能であると記載されている。また、特許文献２には、「特定業界に関連する第一アイテムと、特定業界とは異なる一つ又は複数の業界に関連する第二アイテムをネットワークを介して自動収集し、第二アイテムの一つ又は複数を第一アイテムと重複するアイテムを除いてランダムに抽出」することで、利用者に自由な発想を喚起することを可能とする旨が記載されている。
【先行技術文献】
【特許文献】
【０００４】
【特許文献１】米国特許出願公開第２０１３／０１９１１８６号明細書
【特許文献２】特開２００７−３２３５７５号公報
【発明の概要】
【発明が解決しようとする課題】
【０００５】
複数の事業分野において強い製品、技術を有している企業では、顧客との対話を通じて、それらの製品、技術を提供して顧客企業の業務課題を解決するサービス、いわゆる顧客協創型のサービス設計が求められている。このようなサービス設計において、複数の事業分野にまたがる製品、技術を活かすには、顧客の課題のみを直接解決するのではなく、顧客の事業分野と異なる他の事業分野における課題解決事例を、顧客の課題と共通的な粒度で捉えることにより、他の事業分野の課題解決事例を顧客の課題解決に活かすという、いわゆる異業種アナロジーの考え方が重要である。【０００６】
この点、特許文献２に記載されている技術は、異なる業界のアイテムを掛け合わせて表示することで顧客（ユーザ）の発想を喚起するが、表示するアイテムはランダムなキーワードであり、ユーザから得られた課題を基にして他の事業分野における事例を活用するものではない。【０００７】
また、異業種アナロジーでは、課題の抽象化という考えが必要である。例えば、「発電事業で利用する設備Ａの保守人件費削減」という課題が顧客との対話の中で得られた時、この課題が顧客の事業分野に強く依存していると、顧客の事業分野内での解決策のみを考え、その結果、一辺倒な提案となりがちである。そこで、複数の事業分野にまたがる製品、技術を活用した提案を行うことが必要であるが、これを実現するためには、顧客の課題をより俯瞰的な粒度で捉え、当該課題を、他の事業分野の課題と同質のものとして考えなくてはならない。すなわち、課題の抽象化が必要である。【０００８】
この点につき、特許文献１に記載されている技術は、顧客価値とそれに応えるソリューションとの関係を階層的に記述し、顧客利益を最大化するようなサービスの構成要素を検討することができるとしているが、顧客価値（ユーザから得られた価値・課題）を抽象化しながら他業種の課題を提案することはできない。【０００９】
一方で、課題の抽象化が過度になり、課題の粒度が高くなり過ぎると、他の事業分野の解決事例には顧客が求めている課題と異なるものが混在しているため、結果として顧客の真の課題を解決できなくなる可能性がある。例えば、「コスト削減」という課題が顧客との対話の中で得られた時、多くのコスト削減サービスから、顧客の課題の解決に寄与する製品や技術を提案するには、具体的にどのようなコストを削減したいのかを確認しなければならない。すなわち、前記した課題の抽象化の一方で、課題の具体化も必要である。【００１０】
本発明は、このような事情に鑑みてなされたものであり、顧客等の事業者が有する課題を適切に解決するためのサービス情報を提供することが可能なサービス提供システム、サービス提供方法、及びサービス提供プログラムを提供することを目的とする。
【課題を解決するための手段】
【００１１】
前述の課題を解決するための本発明の一つは、プロセッサ及びメモリを有し、事業者に、当該事業者の業務における課題を解決するためのサービス情報を提供するサービス提供システムであって、前記事業者が属する業種である対象業種、及び前記事業者の業務における課題である対象課題を取得する対象情報取得部と、前記対象業種と異なる業種である他業種の業務における課題である他業種課題と、複数の前記他業種課題の間の包含関係である他業種課題関係と、前記他業種課題を解決するサービスである他業種サービスとを記憶する他業種情報記憶部と、前記他業種課題を出力する課題出力部と、前記他業種課題関係に基づき、前記複数の他業種課題のうち、前記対象課題に対応する前記他業種課題と関連性が高い前記他業種課題を関連他業種課題として抽出する関連他業種課題抽出部と、前記抽出した関連他業種課題を解決する前記他業種サービスのうち、前記対象業種に対応する前記他業種の業務における前記他業種サービスを抽出する他業種サービス抽出部と、前記抽出した他業種サービスを出力する他業種サービス出力部と、を有する。
【発明の効果】
【００１２】
本発明によれば、事業者が有する課題を適切に解決するためのサービス情報を提供することができる。
【図面の簡単な説明】
【００１３】
【図１】図１は、本実施形態に係るサービス提供システム１０００の構成の一例を説明する図である。
【図２】図２は、課題パターン情報１４１０の一例を説明する図である。
【図３】図３は、課題パターンリスト１４１１、及び課題構造情報リスト１４１２により特定される各課題パターンの関係をグラフ構造として表現した図である。
【図４】図４は、業種業務情報１４２０の一例を示す図である。
【図５】図５は、サービスパターン情報１４３０の一例を示す図である。
【図６】図６は、サービス事例情報１４４０の一例を示す図である。
【図７】図７は、サービス事例提供処理Ｓ１０を説明するフローチャートである。
【図８】図８は、課題情報入力画面の一例を示す図である。
【図９】図９は、第１他業種課題サービス表示処理Ｓ２００を説明するフローチャートである。
【図１０】図１０は、第１他業種課題サービス表示処理Ｓ２００を説明するフローチャートである。
【図１１】図１１は、第１関連他業種課題表示画面の一例を示す図である。
【図１２】図１２は、第１関連他業種課題表示画面の他の例を示す図である。
【図１３】図１３は、推奨サービスパターン表示画面の一例を示す図である。
【図１４】図１４は、推奨サービス事例表示画面の一例を示す図である。
【図１５】図１５は、検討サービス事例活用画面の一例を示す図である。
【図１６】図１６は、業務関連度算出処理Ｓ３３０を説明するフローチャートである。
【図１７】図１７は、第２他業種課題サービス表示処理Ｓ５００を説明するフローチャートである。
【図１８】図１８は、第２他業種課題サービス表示処理Ｓ５００を説明するフローチャートである。
【図１９】図１９は、第２関連他業種課題表示画面の一例を示す図である。
【図２０】図２０は、第２関連他業種課題表示画面の他の例を示す図である。
【発明を実施するための形態】
【００１４】
以下、本発明の実施形態について図面を用いて詳細に説明する。
図１は、本実施形態に係るサービス提供システム１０００の構成の一例を説明する図である。サービス提供システム１０００は、例えば、複数の事業分野において種々の製品・技術を開発しており、これらを顧客たる企業等の事業者（以下、顧客、又は顧客企業という）に、当該顧客企業の業務上の課題の解決のためのサービス情報を提供している企業（以下、サービス企業という）の事業所等に設けられる。
【００１５】
＝＝＝ハードウェア構成＝＝＝
図１に示すように、サービス提供システム１０００は、情報処理装置（コンピュータ）により構成されている。サービス提供システム１０００は、数値演算、データの読み書き、機器制御の機能を有する電子回路で構成されたＣＰＵ（Central Processing Unit）等のプロセッサからなる制御装置１５００と、ＲＡＭ（Random Access Memory）、ＲＯＭ（Read Only Memory）、又はＮＶＲＡＭ（Non-Volatile RAM）等のメモリ、ハードディスク、ＳＳＤ（Solid State Drive）、又はフラッシュメモリ等からなる記憶装置１１００と、キーボード、マウス、タッチパネル等の入力装置からなる入力インタフェース１６００と、モニタ、ディスプレイ等の出力装置からなる出力インタフェース１７００とを含んで構成される。入力インタフェース１６００及び出力インタフェース１７００は、例えば、ＵＳＢ（Universal Serial Bus）やPCI Express等の規格に準拠したインタフェースを備えており、マウス、キーボード、ディスプレイ等の入力装置や出力装置との通信を実現する。
【００１６】
なお、本実施形態では、サービス提供システム１０００は単一の情報処理装置によって構成されているものとするが、サービス提供システム１０００は、ＢＲＩ（Basic Rate Interface）ポートやＬＡＮ（Local Area Network）ポートなどに代表される通信インタフェース等によって互いに通信可能とされた複数の情報処理装置によって構成されていてもよい。
続いて、サービス提供システム１０００が備える機能について説明する。
【００１７】
＝＝＝機能＝＝＝
図１に示すように、サービス提供システム１０００は、入力インタフェース１６００又は出力インタフェース１７００を介して情報の送受信を行うサービスデザイン部１２００と、他業種情報記憶部１４００と、サービスデザイン部１２００や他業種情報記憶部１４００に基づき情報を生成する情報生成部１３００とを有する。
【００１８】
サービスデザイン部１２００は、記述情報受付部１２１０、課題パターンナビゲーション部１２２０、サービスパターン表示部１２３０、及びサービス事例表示部１２４０を有する。
【００１９】
記述情報受付部１２１０は、顧客である事業者が有する課題や、当該事業者が行う業務、当該事業者が属する業種等の情報の入力を受け付ける。
【００２０】
記述情報受付部１２１０は対象情報取得部１２１１を備える。対象情報取得部１２１１は、顧客である事業者が属する業種である対象業種（文字列や識別子等で表される）、顧客である事業者の業務である対象業務（文字列や識別子等で表される）、及びその事業者の業務における課題である対象課題（文字列や識別子等で表される）を取得する。なお、以下では、対象情報取得部１２１１が取得する情報を、課題情報という。
【００２１】
課題パターンナビゲーション部１２２０は、情報生成部１３００が生成した情報に基づき、対象課題に対応する課題の情報を表示すると共に、ユーザからの入力に応じて、情報生成部１３００に、対象課題に対応する課題に関する処理を依頼する。
【００２２】
課題パターンナビゲーション部１２２０は、課題出力部１２２１、及び課題抽象度選択部１２２２を備える。このうち、課題出力部１２２１は、他業種課題を出力する。
【００２３】
また、課題出力部１２２１は、複数の他業種課題のうち少なくとも一つの選択を受け付ける。
【００２４】
また、課題出力部１２２１は、複数の他業種課題のうち、一の他業種課題が示す課題と他の他業種課題が示す課題との間の包含関係を、他業種課題関係に基づき算出し、算出した包含関係に基づき、複数の他業種課題が示す課題における、前記一の他業種課題が示す課題の相対的な抽象性を算出し、算出した抽象性を示す情報（インジケータ）を出力する。
【００２５】
課題抽象度選択部１２２２は、後述する関連他業種課題として、対象課題に対応する他業種課題を包含する他業種課題を抽出するか、又は、対象課題に対応する他業種課題に包含される他業種課題を抽出するかの選択を受け付ける。
【００２６】
次に、サービスパターン表示部１２３０は、情報生成部１３００が生成した、対象課題に対応する課題を解決するサービスに関する情報を表示する。
【００２７】
サービスパターン表示部１２３０は、他業種サービス出力部１２３１を備える。他業種サービス出力部１２３１は、後述する他業種サービス抽出部１３３１が抽出した他業種サービス（後述）を出力する。
【００２８】
サービス事例表示部１２４０は、情報生成部１３００が生成したサービスにおける事例の情報を出力する。例えば、サービス事例表示部１２４０は、後述する他業種サービス抽出部１３３１で抽出された他業種における他業種サービスを解決した事例において利用された製品又は技術に関する情報を、前記抽出された他業種と共に出力する。
【００２９】
情報生成部１３００は、課題パターン照合部１３１０、関連課題パターン抽出部１３２０、サービスパターン抽出部１３３０、サービス事例抽出部１３４０、及びサービス事例登録部１３５０を有する。
【００３０】
課題パターン照合部１３１０は、ユーザによって入力された課題情報を、他業種情報記憶部１４００が記憶している情報と照合する。なお、他業種情報記憶部１４００は、後述するように、対象業種と異なる業種である他業種の業務における課題である他業種課題と、複数の他業種課題の間の包含関係である他業種課題関係と、他業種課題を解決するサービスである他業種サービスとを記憶する。なお、以下では、これらの情報を総称して他業種情報という。
【００３１】
関連課題パターン抽出部１３２０は、後述する抽象度に基づき、対象課題に関連する他業種課題を抽出する。
【００３２】
関連課題パターン抽出部１３２０は、関連他業種課題抽出部１３２１を備える。関連他業種課題抽出部１３２１は、他業種課題関係に基づき、複数の他業種課題のうち、対象課題に対応する他業種課題（以下、対応他業種課題という）と関連性が高い他業種課題を関連他業種課題として抽出する。
【００３３】
例えば、関連他業種課題抽出部１３２１は、対象課題に対応する他業種課題を取得し、取得した他業種課題を包含する他業種課題と、包含する他業種課題に包含され、かつ前記取得した他業種課題とは異なる他業種課題とをそれぞれ関連他業種課題として抽出する。
【００３４】
例えば、関連他業種課題抽出部１３２１は、対象課題に対応する他業種課題を取得し、取得した前記他業種課題に包含される他業種課題を、関連他業種課題として抽出する。
【００３５】
また、関連他業種課題抽出部１３２１は、課題抽象度選択部１２２２の選択の結果に基づき、関連他業種課題としての他業種課題を抽出する。
【００３６】
また、例えば、関連他業種課題抽出部１３２１は、課題出力部１２２１による選択を受け付けた他業種課題に対応する他業種課題と関連性が高い他業種課題を関連他業種課題として抽出する。
【００３７】
さらに、関連他業種課題抽出部１３２１は、業務関連度算出部１３２１１を備える。
業務関連度算出部１３２１１は、複数の他業種課題のそれぞれについて、それぞれの他業種サービスにおける業務が対応する他業種課題における業務に含まれているか否かを判断すると共に、前記それぞれの他業種サービスにおける業務に対する評価値と対象業種における業務の評価値との間の類似性を判断し、これらの判断に基づき、前記複数の他業種課題のそれぞれについての前記関連性を算出し、算出した関連性（以下、業務関連度という）が最も高い他業種課題を関連他業種課題として抽出する。
【００３８】
サービスパターン抽出部１３３０は、関連課題パターン抽出部１３２０が抽出した他業種課題を解決した、実績のあるサービスを抽出する。
【００３９】
サービスパターン抽出部１３３０は、他業種サービス抽出部１３３１を備える。他業種サービス抽出部１３３１は、関連他業種課題抽出部１３２１が抽出した、他業種課題を解決する他業種サービスのうち、対象業種に対応する他業種の業務における他業種サービスを抽出する。
【００４０】
サービス事例抽出部１３４０は、サービスパターン抽出部１３３０が抽出した他業種サービスにおける事例（以下、サービス事例ともいう）を抽出する。
【００４１】
サービス事例登録部１３５０は、他業種サービス抽出部１３３１で抽出された他業種における他業種サービスにおいて利用された製品又は技術に関する情報を、対象業種における業務と対応づけて記憶する。
【００４２】
他業種情報記憶部１４００は、対象業種と異なる業種である他業種の業務における課題である他業種課題と、複数の他業種課題の間の関係である他業種課題関係と、他業種課題を解決するサービスである他業種サービスとを記憶している。
【００４３】
また、他業種情報記憶部１４００は、他業種サービスを解決した事例において利用された製品又は技術に関する情報を、その他業種における業務と対応づけて記憶している。
【００４４】
具体的には、図１に示すように、他業種情報記憶部１４００は、課題パターン情報１４１０、業種業務情報１４２０、サービスパターン情報１４３０、及びサービス事例情報１４４０を記憶している。
【００４５】
図２は、課題パターン情報１４１０の一例を説明する図である。同図に示すように、課題パターン情報１４１０は、各課題パターンの内容を特定する情報が格納されている課題パターンリスト１４１１、及び、２つの課題パターンの間の包含関係を特定するための情報が格納されている課題構造情報リスト１４１２の各テーブル（情報）を含む。
【００４６】
課題パターンリスト１４１１は、課題パターンＩＤ１４１１１、及び課題パターン名称１４１１２の各項目を有する、少なくとも１つ以上のレコードを含んで構成されている。課題パターンＩＤ１４１１１には、課題パターンを特定するための識別子が格納され、課題パターン名称１４１１２には、課題パターンＩＤ１４１１１で特定される課題パターンの名称が格納される。
【００４７】
課題構造情報リスト１４１２は、構造情報ＩＤ１４１２１、親課題パターンＩＤ１４１２２、及び子課題パターンＩＤ１４１２３の各項目を有する、少なくとも１つ以上のレコードを含んで構成されている。構造情報ＩＤ１４１２１には、親課題パターンＩＤ１４１２２及び子課題パターンＩＤ１４１２３により特定される２つの課題パターンの間の包含関係を特定する識別子が格納され、親課題パターンＩＤ１４１２２には、前記２つの課題パターンの間において他方を包含する側の課題パターンを特定する情報が格納され、子課題パターンＩＤ１４１２３には、前記２つの課題パターンの間において他方に包含される側の課題パターンを特定する情報が格納される。
【００４８】
なお、以下では、複数の課題パターンにおいて、「第１の課題パターンが第２課題パターンを包含し、第２の課題パターンが第３課題パターンを包含し、・・・、第Ｎの課題パターンが第Ｎ＋１の課題パターンを包含する（Ｎは自然数）」、という関係がある場合に、「第ｎの課題パターンは第ｎ＋１の課題パターンの「親」である」といい（ｎは自然数）、「第ｎ＋１の課題パターンは第ｎの課題パターンの「子」である」といい、「第ｎの課題パターンは第ｎ＋αの課題パターンの「祖先」である」といい（αは自然数）、「第ｎ＋αの課題パターンは第ｎの課題パターンの「子孫」である」というものとする。
【００４９】
さらに上記の場合、第ｎの課題パターン、及び第ｎ＋αの課題パターンの間の関係を、「第ｎの課題パターンの抽象度は、第ｎ＋αの課題パターンの抽象度よりも、α段階高い（又は、第ｎ＋αの課題パターンは、第ｎの課題パターンよりもα段階抽象度が低い、又はα段階具体化されている）」、ということもある。例えば、図２に示すように、課題構造情報リスト１４１２の構造情報ＩＤ１４１２１が「ＳＩ００１」であるレコードにおいて、親課題パターンＩＤ１４１２２は「ＩＰ００１」であり、子課題パターンＩＤ１４１２３は「ＩＰ００２」である。また、課題パターンリスト１４１１において、課題パターンＩＤ１４１１１が「ＩＰ００１」の課題パターンの名称は「コスト削減」であり、課題パターンＩＤ１４１１１が「ＩＰ００２」の課題パターンの名称は「人件費削減」である。したがって、「コスト削減」は「人件費削減」より「一段階抽象度が高い」という。
【００５０】
図３は、課題パターンリスト１４１１、及び課題構造情報リスト１４１２により特定される各課題パターンの関係をグラフ構造として表現した図である。同図に示すように、例えば、その識別子が「ＩＰ００１」である「コスト削減」は、コストの種類を分解することにより一段階具体化されている。すなわち、識別子が「ＩＰ００２」である「人件費削減」、識別子が「ＩＰ００３」である「調達費削減」、及び識別子が「ＩＰ００４」である「保守費削減」のそれぞれが、「コスト削減」の子になっている。また、識別子が「ＩＰ００２」である「人件費削減」は、人件費が発生する要因を分解することにより一段階具体化されている。すなわち、識別子が「ＩＰ０１０」である「雇用数削減」、識別子が「ＩＰ０１１」である「労働時間削減」、及び識別子が「ＩＰ０１３」である「労働単価削減」のそれぞれが、「人件費削減」の子となっている。
【００５１】
このように、課題パターン情報１４１０は、抽象度に応じて分解された課題パターンの包含関係（親子関係）を構造的に示した情報である。
【００５２】
図４は、業種業務情報１４２０の一例を示す図である。同図に示すように、業種業務情報１４２０は、業務業種ＩＤ１４２１、業種１４２２、業務１４２３、及び業務特性１４２４の各項目を含む、少なくとも１つ以上のレコードを含んで構成されている。
【００５３】
業務業種ＩＤ１４２１には、業種１４２２及び業務１４２３により特定される業務の識別子が格納され、業種１４２２には、事業者が属する業種の情報が格納され、業務１４２３には事業者が行う業務の情報が格納され、業務特性１４２４には、業種１４２２及び業務１４２３により特定される業務の内容を示す情報が格納される。すなわち、業務特性１４２４は、業務業種ＩＤ１４２１で特定される業務の信頼性を示す信頼性１４２５、業務業種ＩＤ１４２１で特定される業務の安全性を示す安全性１４２６、業務業種ＩＤ１４２１で特定される業務の設備コストを示す設備コスト１４２７、及び業務業種ＩＤ１４２１で特定される業務において利用される製品の故障リスクを示す故障リスク１４２８の各項目を有する。
【００５４】
このように、業種業務情報１４２０は、業種や業務、及びこれらの特性などを示す情報である。なお、この業種業務情報１４２０は、業務関連度を算出する際に利用される。
【００５５】
図５は、サービスパターン情報１４３０の一例を示す図である。同図に示すように、サービスパターン情報１４３０は、サービスパターンを特定する識別子が格納されるサービスパターンＩＤ１４３１、サービスパターンＩＤ１４３１により特定されるサービスパターンの名称が格納されるサービスパターン名称１４３２、及びサービスパターンＩＤ１４３１により特定されるサービスパターンを解決する課題パターンを特定する識別子が格納される課題パターンＩＤ１４３３の各項目を有する、少なくとも１つ以上のレコードを含んで構成されている。
【００５６】
このように、サービスパターン情報１４３０は、課題を解決するサービスの情報を含んでいる。
【００５７】
図６は、サービス事例情報１４４０の一例を示す図である。サービス事例情報１４４０は、サービス事例リスト１４４１、製品技術リスト１４４２、及び製品技術適用事例リスト１４４３の各テーブル（情報）を有する。
【００５８】
サービス事例リスト１４４１は、サービス事例を特定する識別子が格納されるサービス事例ＩＤ１４４１１、サービスパターンを特定する識別子が格納されるサービスパターンＩＤ１４４１２、サービス事例ＩＤ１４４１１により特定されるサービス事例の名称が格納されるサービス事例名称１４４１３、業務業種ＩＤ１４２１に対応する、業務の識別子が格納される業種業務ＩＤ１４４１４、及び業種業務ＩＤ１４４１４により特定される業務に対する評価に関する情報（評価値）が格納される評価情報１４４１５の各項目を有する、少なくとも１つ以上のレコードから構成される。なお、顧客価値１４４１６には、その業務の顧客による価値の評価の情報が格納され、収益性１４４１７には、その業務の収益性に関する評価の情報が格納され、実現性１４４１８には、その業務の実現性に関する評価の情報が格納される。評価情報１４４１５には、例えば、最高の評価を示す「◎」、「◎」の次に高い評価を示す「○」、及び「○」の次に高い評価を示す「△」等が格納される。
【００５９】
製品技術リスト１４４２は、事業者が有する製品や技術を特定する識別子が格納される製品技術ＩＤ１４４２１、及び製品技術ＩＤ１４４２１で特定される製品や技術の名称が格納される製品技術名１４４２２の各項目を有する、少なくとも１つ以上のレコードを含んで構成されている。
【００６０】
製品技術適用事例リスト１４４３は、各レコードに付与された識別子である適用ＩＤ１４４３１と、サービス事例ＩＤ１４４１１に対応する、サービス事例を特定する識別子が格納されるサービス事例ＩＤ１４４３２と、製品技術ＩＤ１４４２１に対応する、サービス事例ＩＤ１４４３２により特定されるサービス事例において利用される製品又は技術を特定する識別子である製品技術ＩＤ１４４３３とを含む各項目を有する、少なくとも１つ以上のレコードを含んで構成されている。
【００６１】
サービス事例情報１４４０の例としては、例えば、サービス事例リスト１４４１において、サービス事例ＩＤ１４４１１が「ＳＣ００１」のレコードの業種業務ＩＤ１４４１４は「ＢＰ００１」であり、サービスパターンＩＤ１４４１２は「ＳＰ００１」であり、サービス事例名称１４４３は「遠隔作業指示サービス」である。一方、業種業務情報１４２０において、業種業務ＩＤ１４２１が「ＢＰ００１」のレコードの業種１４２２及び業務１４２３はそれぞれ「建設」、「施工」であり、サービスパターン情報１４３０においてサービスパターンＩＤ１４３１が「ＳＰ００１」のレコードのサービスパターン名称１４３２は「作業指示」である。従って、「遠隔作業指示サービス」なる名称のサービスにおける、サービス事例は、「建設」「施工」の業種業務における、「作業指示」の事例であることがわかる。
【００６２】
また、製品技術適用事例リスト１４４３において、サービス事例ＩＤ１４４３２が「ＳＣ００１」のレコードの製品技術ＩＤ１４４３３は「ＰＤ００１」及び「ＰＤ００２」であり、製品技術リスト１４４２において、製品技術ＩＤ１４４２１が「ＰＤ００１」及び「ＰＤ００２」の製品技術名１４４２２はそれぞれ「カメラ」「画像認識」である。従って、「遠隔作業指示サービス」なるサービス事例は、「カメラ」及び「画像認識」を利用していることがわかる。
【００６３】
なお、サービス事例情報１４４０は、例えば、サービス提供システム１０００の管理者等が、過去にサービス企業が担当したサービス事例やそのサービスに係る業種業務の評価結果等の情報をサービス提供システム１０００に入力することにより、生成される。又は、後述するように、サービス提供システム１０００が、課題情報に基づき、サービス事例情報１４４０に新たに情報を追加する。
【００６４】
以上に説明したサービス提供システム１０００の機能は、サービス提供システム１０００のハードウエアによって、又は、サービス提供システム１０００の制御装置１５００が、記憶装置１１００に格納されているプログラムを読み出して実行することにより実現される。なお、本実施形態では、サービスデザイン部１２００と情報生成部１３００はソフトウェアプログラムによって実現されるものとする。
【００６５】
＝＝＝処理説明＝＝＝
次に、サービス提供システム１０００において行われる処理について説明する。           
【００６６】
＜サービス事例提供処理Ｓ１０＞
図７は、サービス提供システム１０００において行われる処理（以下、サービス事例提供処理Ｓ１０という）を説明するフローチャートである。なお、サービス事例提供処理Ｓ１０は、例えば、サービス提供システム１０００における情報処理装置が起動した際に開始される。
【００６７】
図７に示すように、まず、サービス提供システム１０００（具体的にはサービスデザイン部１２００）は、課題情報の入力を受け付ける画面（以下、課題情報入力画面という）を出力インタフェース１７００に出力すると共に（Ｓ１１）、入力インタフェース１６００を介して、ユーザ（サービス提供システム１０００の管理者等。以下同じ。）から、課題情報（例えば、顧客の対象業種、顧客の対象業務、顧客の対象課題、及び顧客の業種とは異なる他業種）の入力を受け付ける（Ｓ１２）。
【００６８】
ここで、課題情報入力画面について説明する。図８は、課題情報入力画面の一例を示す図である。同図に示すように、課題情報入力画面８００は、対象業種が入力される入力欄８０１と、対象業務が入力される入力欄８０２と、対象課題が入力される入力欄８０３と、入力欄８０２への入力を受けて他業種が入力される入力欄８０４とを有する。また、課題情報入力画面８００は、顧客企業の価値、サービス、及び製品・技術の各情報の入力を受け付ける入力欄８０５を有している。そして、これらの入力欄に入力された各情報の間で関連のあるものは、矢印８０７で結ばれている。
【００６９】
なお、本実施形態では、対象業種の入力欄８０１、対象業務の入力欄８０２、及び他業種の入力欄８０４は、所定の項目から選択することにより入力され、対象課題の入力欄８０３は任意の文字列等を指定することにより入力される（いわゆるテキスト入力方式）ものとする。
【００７０】
サービスデザイン部１２００は、入力欄８０３に対象課題がユーザにより入力される（例えば一つ選択されると）、入力欄８０２に入力された、対象課題に対応する対象業務を取得すると共に、入力欄８０１に入力された対象業種と、入力欄８０４に入力された他業種とを取得する。
【００７１】
図８の例では、例えば、ユーザが、入力欄８０３に、「従業員の生産能力向上」を入力すると、記述情報受付部１２１０は、対象業種として「発電」を取得し、対象業務として「設計」を取得し、対象課題として「従業員の生産能力向上」を取得し、他業種として「建設」を取得する。また、例えば、ユーザが、入力欄８０３に、「コスト削減」を入力すると、記述情報受付部１２１０は、対象業種として「発電」を取得し、対象業務として「運転保守」を取得し、対象課題として「コスト削減」を取得し、他業種として「建設」を取得する。
【００７２】
以上のように、Ｓ１２で課題情報が受け付けられると、サービスデザイン部１２００は、受け付けた対象課題に対応する他業種の課題、及びこの課題を解決するサービスを表示する処理（以下、第１他業種課題サービス表示処理Ｓ２００という）を実行する（Ｓ２００）。
【００７３】
＜第１他業種課題サービス表示処理Ｓ２００＞
ここで、第１他業種課題サービス表示処理Ｓ２００の詳細を説明する。
【００７４】
図９、１０は、第１他業種課題サービス表示処理Ｓ２００を説明するフローチャートである。同図に示すように、第１他業種課題サービス表示処理Ｓ２００は、課題パターン参照フェーズ、サービスパターン参照フェーズ、サービス事例参照フェーズ、及びサービス事例活用フェーズの４つのフェーズ（処理群）により構成されている。
【００７５】
課題パターン参照フェーズは、Ｓ１２で取得した課題情報が示す課題の抽象度を変化させることにより、複数の他業種課題（他業種課題の集合）を取得して表示する。そして、課題パターン参照フェーズは、取得した他業種課題やユーザが入力した課題情報を用いることにより業務関連度を算出し、複数の他業種課題のうちから業務関連度の高い他業種課題（関連他業種課題）を表示する。この際、課題パターン参照フェーズは、課題の抽象度の変更をユーザから受け付け、受け付けた変更に応じて、表示する他業種課題の集合を変更する。
【００７６】
サービスパターン参照フェーズは、課題パターン参照フェーズにおいて表示した課題についてユーザから選択を受け付け、受け付けた課題について、その課題を解決するサービス（以下、推奨サービスパターンともいう）を表示する。
【００７７】
サービス事例参照フェーズは、サービスパターン参照フェーズにおいて表示したサービスについてユーザから選択を受け付け、受け付けたサービスについて、そのサービスにおける事例（以下、推奨サービス事例ともいう）を表示する。
【００７８】
サービス事例活用フェーズは、サービス事例参照フェーズにおいて表示したサービス事例についてユーザから選択を受け付け、受け付けたサービス事例を表示すると共に、その事例に関する情報をサービス事例情報１４４０に追加する。
続いて、第１他業種課題サービス表示処理Ｓ２００の処理を具体的に説明する。
【００７９】
＜課題パターン参照フェーズ＞
図９に示すように、まずサービスデザイン部１２００は、Ｓ１１２で受け付けた課題情報を、情報生成部１３００に送信する（Ｓ２１０）。
【００８０】
情報生成部１３００は、サービスデザイン部１２００から課題情報を受信すると、受信した課題情報に基づき、課題パターン情報１４１０における他業種課題のうち、対象課題に対応する（例えば、最も近い）課題（以下、対応他業種課題という）を取得する（Ｓ３１０）。
【００８１】
具体的には、例えば、課題パターン照合部１３１０は、文字列により構成される対象課題の各単語と、課題パターンリスト１４１１における各レコードの課題パターン名称１４１１２に格納されている各単語とを比較し、両者に共通する単語の数を算出する。そして課題パターン照合部１３１０は、共通する単語の数が最も多かった、課題パターンリスト１４１１のレコードを特定し、特定したレコードの課題パターンＩＤ１４１１１の内容、及び課題パターン名称１４１１２の内容を、対応他業種課題として取得する。
【００８２】
例えば、図２で示した例において、課題情報の文字列が「コスト削減」である場合、この文字列と、課題パターンリスト１４１１の一レコードにおける課題パターン名称１４１１２に格納されている「コスト削減」なる文字列とで共通する単語の数は、「コスト」及び「削減」の２つである。この２つの共通する単語の数は、課題パターンリスト１４１１の他のレコードにおいて共通する単語の数よりも多いことから、課題パターン照合部１３１０は、上記一レコードにおける課題パターン名称１４１１２に格納されている「コスト削減」、及び当該一レコードの課題パターンＩＤ１４１１１に格納されている「ＩＰ００１」を、対応他業種課題として取得する。同様に、課題パターン照合部１３１０は、対象課題が「従業員の生産能力向上」である場合、課題パターン名称１４１１２に格納されている「生産能力向上」、及び課題パターンＩＤ１４１１１に格納されている「ＩＰ００９」を、対応他業種課題として取得する。
【００８３】
なお、本実施形態では、課題パターン照合部１３１０は、共通する単語の数を比較することにより対応他業種課題を取得するが、その他の方法として、例えば、課題パターン照合部１３１０は、業種ごとに体系化された単語の集合と、これらの単語間の類似度とをデータベースとして記憶し、このデータベースに基づき、類義語を算出する（例えば類似度を算出する）ことにより、対応他業種課題を取得するようにしてもよい。また、課題パターン照合部１３１０は、Structural Mapping Engineなどに代表される構造的な類似度を用いることにより、対応他業種課題を取得するようにしてもよい。
【００８４】
次に、課題パターン照合部１３１０は、Ｓ３１０で受信した対象業種、対象業務、及び他業種情報と、課題パターン照合部１３１０が取得した対応他業種課題とを、関連課題パターン抽出部１３２０に送信する。そして、関連課題パターン抽出部１３２０は、Ｓ３１０で取得した対応他業種課題を包含する課題である、上位他業種課題を検索する（Ｓ３１５）。
【００８５】
具体的には、関連課題パターン抽出部１３２０は、課題パターン情報１４１０の課題パターンリスト１４１１から、課題パターン名称１４１１２に対応他業種課題の内容が格納されているレコードの課題パターンＩＤ１４１１１の識別子を検索する。そして関連課題パターン抽出部１３２０は、この識別子の検索に成功した場合、課題構造情報リスト１４１２のうち、子課題パターンＩＤ１４１２３に上記取得した識別子が格納されているレコードの親課題パターンＩＤ１４１２２の内容を取得し、取得した内容を、上位他業種課題として取得する。
【００８６】
例えば、図２、３の例では、関連課題パターン抽出部１３２０は、対応他業種課題の名称が「生産能力向上」（課題パターンＩＤ１４１１１が「ＩＰ００９」）である場合、上位他業種課題として「労働時間短縮」（構造情報ＩＤが「ＳＩ００７」）なる名称の他業種課題を上位他業種課題として取得する。
【００８７】
課題パターン照合部１３１０が検索に成功した場合（Ｓ３１７：ＹＥＳ）は、Ｓ３２０に進み、課題パターン照合部１３１０が検索に失敗した場合（Ｓ３１７：ＮＯ）、本処理は終了する（Ｓ３１８）。
【００８８】
Ｓ３２０では、情報生成部１３００は、優先探索などのアルゴリズムに従い、Ｓ３１５で取得した上位他業種課題を包含する他業種課題を含む他の他業種課題を、Ｓ３１５で取得した上位他業種課題と共に、関連候補他業種課題として取得する。なお、関連候補他業種課題は、最上位他業種課題、及び同順位他業種課題を含む。最上位他業種課題は、上位他業種課題をさらに包含し、かつこれを包含する他業種課題が存在しない他業種課題（すなわち、対応他業種課題の先祖でありかつ自身の親が存在しない他業種課題）である。また、同順位他業種課題は、上位他業種課題を包含する他業種課題に包含され、かつ上位他業種課題とは異なる他業種課題（すなわち、上位他業種課題の子孫であり当該上位他業種課題と共通する先祖で最も抽象度が低い他業種課題）である。
【００８９】
具体的には、関連課題パターン抽出部１３２０は、対応他業種課題の識別子が子課題パターンＩＤ１４１２３に格納されている課題構造情報リスト１４１２のレコードを取得し、取得したレコードの親課題パターンＩＤ１４１２２の識別子が親課題パターンＩＤ１４１２２に格納されているレコードの子課題パターンＩＤ１４１２３の識別子（但し、対応他業種課題の識別子とは異なるもの）を取得する（同順位他業種課題）。また、関連課題パターン抽出部１３２０は、取得したレコードの親課題パターンＩＤ１４１２２の識別子が子課題パターンＩＤ１４１２３に格納されているレコードを取得し、さらに、取得したレコードの子課題パターンＩＤ１４１２３が親課題パターンＩＤ１４１２２に格納されている他のレコードを検索する。この検索を、子課題パターンＩＤ１４１２３が親課題パターンＩＤ１４１２２に格納されているレコードがなくなるまで行い、最後に検索を行ったレコードにおける親課題パターンＩＤ１４１２２の識別子を取得する（最上位他業種課題）。
【００９０】
例えば、図２、３の例において、対応他業種課題の名称が「生産能力向上」、上位他業種課題の名称が「長時間労働の防止」である場合、最上位他業種課題の名称は「コスト削減」であり、同順位他業種課題の名称は「非生産時間削減」及び「従業員の適材配置」である。
【００９１】
次に、関連課題パターン抽出部１３２０は、課題情報に基づき、Ｓ３２０で取得した関連候補他業種課題のそれぞれに対する業務関連度を算出する（Ｓ３３０）。なお、この処理（以下、業務関連度算出処理Ｓ３３０という）は後述する。
【００９２】
次に、情報生成部１３００は、Ｓ３３０で算出した業務関連度に基づき、Ｓ３２０で取得した全ての関連候補他業種課題のうち、上位他業種課題と、最上位他業種課題と、同順位他業種課題のうち最も顧客企業の業務と関連性の高い同順位他業種課題とを特定し、特定した関連候補他業種課題のそれぞれと、対応他業種課題とを、関連他業種課題としてサービスデザイン部１２００に送信する（Ｓ３４０）。なお、関連課題パターン抽出部１３２０はこの際、対応他課題をサービスパターン抽出部１３３０に送信し、後述するＳ３５０を依頼する。
【００９３】
同順位他業種課題の特定方法としては、例えば、関連課題パターン抽出部１３２０は、Ｓ３３０で算出した業務関連度に基づき、最も業務関連度が高かった同順位他業種課題を特定し、特定した同順位他業種課題を、課題パターンナビゲーション部１２２０に送信する。より具体的には、関連課題パターン抽出部１３２０は、Ｓ３３０で算出した業務関連度のうち最も値が高かった業務関連度を有する、Ｓ３２０で取得した同順位他業種課題を特定し、特定した同順位他業種課題の識別子が課題パターンＩＤ１４１１１に格納されている課題パターンリスト１４１１のレコードを取得し、取得したレコードの課題パターンＩＤ１４１１１の内容、及び課題パターン名称１４１１２の内容を、サービスパターン抽出部１３３０に送信する。
【００９４】
例えば、図２、３の例において、「非生産時間の削減」なる名称の関連候補他業種課題の業務関連度が「０．２５」、「従業員の適材配置」なる名称の関連候補他業種課題の業務関連度が「０」であった場合、最も業務関連度が高かった関連候補他業種課題は前者であるから、「生産能力向上」、「コスト削減」、及び「長時間労働の防止」に加えて、「非生産時間の削減」に対応する識別子が課題パターンＩＤ１４１１１に格納されている課題パターンリスト１４１１のレコードの、課題パターンＩＤ１４１１１の内容及び課題パターン名称１４１１２の内容が送信される。
【００９５】
次に、課題パターンナビゲーション部１２２０は、関連課題パターン抽出部１３２０が送信した関連他業種課題を受信し、受信した関連他業種課題を表示する（Ｓ２２０）。
【００９６】
また、サービスデザイン部１２００は、入力インタフェース１６００を介して、Ｓ３１５で取得した上位他業種課題とは異なる新たな上位他業種課題の入力がユーザからあったか否かを判断する（Ｓ２３０）。新たな上位他業種課題の入力があった場合は（Ｓ２３０：ＹＥＳ）、サービスデザイン部１２００は、その新たな上位他業種課題を情報生成部１３００に送信し、情報生成部１３００は、受信した新たな上位他業種課題に基づき、Ｓ３２０の処理を開始する。一方、新たな上位他業種課題の入力がなかった場合は（Ｓ２３０：ＮＯ）、Ｓ２３２の処理に進む。
【００９７】
Ｓ２３２において、サービスデザイン部１２００は、入力インタフェース１６００を介して、対応対象課題の子孫の対応他業種課題、及びこの課題を解決するサービスを表示する処理（以下、第２他業種課題サービス表示処理Ｓ５００という）を実行する旨の入力（要求）があったか否かを判断する（Ｓ２３２）。この入力があった場合は（Ｓ２３２：ＹＥＳ）、Ｓ５００に進み、この入力が無かった場合は（Ｓ２３２：ＮＯ）、Ｓ２３４に進む。なお、第２他業種課題サービス表示処理Ｓ５００の詳細は後述する。
【００９８】
Ｓ２３４において、サービスデザイン部１２００は、入力インタフェース１６００を介して、関連他業種課題のうちの一つの選択があったか否かを判断する。関連他業種課題の選択があった場合は（Ｓ２３４：ＹＥＳ）、Ｓ２４０に進み、関連他業種課題の選択がなかった場合は（Ｓ２３４：ＮＯ）、Ｓ２３０に戻る。
【００９９】
ここで、課題パターン参照フェーズにおいて出力インタフェース１７００に出力される画面（以下、第１関連他業種課題表示画面という）について説明する。
【０１００】
図１１は、第１関連他業種課題表示画面の一例を示す図である。同図に示すように、第１関連他業種課題表示画面２１００には、画面の所定の表示領域に、関連他業種課題の表示がなされる（対応他業種課題の表示２１０１、最上位他業種課題の表示２１０２、上位他業種課題の表示２１０３、及び同順位他業種課題の表示２１０４）。また、これらの関連他業種課題の親子関係（包含関係）が矢印２１０５で、先祖−子孫関係が省略記号つきの矢印２１０６でそれぞれ表示される。なお、各他業種課題の表示位置は、他業種課題関係に基づき算出され、他業種課題の世代（親、子、祖先、子孫等の関係）に応じて位置が調節されている。
【０１０１】
また、第１関連他業種課題表示画面２１００にはスライドバー２１０７が設けられている。スライドバー２１０７は、「抽象」及び「具体」の２つの選択肢を備えており、課題サービス表示処理Ｓ２００を実行中は「抽象」が選択されている。ユーザがこのスライドバー２１０７において「具体」を選択すると、後述する第２他業種課題サービス表示処理Ｓ５００が実行される。これにより、表示する関連他業種課題の抽象度を変更することが可能である。
【０１０２】
また、第１関連他業種課題表示画面２１００は、表示されている他業種課題の、全他業種課題に対する相対的な抽象度（抽象性）を示すインジケータ２１０８を有している。インジケータ２１０８は、他業種課題同士の包含関係に基づき、表示されている他業種課題の相対的な抽象性を算出することによってその表示が決定されている。なお、このインジケータ２１０８の表示（描画）は、例えば、対応他業種課題と、対応他業種課題の子孫の他業種課題との間の表示領域上の距離の最大値と、対応他業種課題と最上位他業種課題との間の表示領域上の距離とをそれぞれ算出することによって調節される。
【０１０３】
さらに、第１関連他業種課題表示画面について、他の例を説明する。
【０１０４】
図１２は、第１関連他業種課題表示画面の他の例（第１関連他業種課題表示画面２２００）を示す図である。同図に示すように、第１関連他業種課題表示画面２２００（１）には、関連他業種課題が表示される（対応他業種課題の表示２２０１、上位他業種課題の表示２２０３、及び同順位他業種課題の表示２２０４）。また、これらの関連他業種課題の親子関係が、矢印２２０５で示される。また、第１関連他業種課題表示画面２２００（１）には、対応他業種課題の相対的な抽象度を示す抽象度表示２２０６が設けられている。
【０１０５】
ここで、上位他業種課題の表示２２０３が選択されると、第１関連他業種課題表示画面２２００（２）が表示される。第１関連他業種課題表示画面２２００（２）には、第１関連他業種課題表示画面２２００（１）で表示されていた表示に加えて、上記選択された上位他業種課題の抽象度を示す選択課題抽象度表示２２０８が表示される。また、第１関連他業種課題表示画面２２００（２）には、上位他業種課題より一段階抽象度が高い他業種課題が仮表示される（仮表示２２０７）。
【０１０６】
ここで、仮表示２２０７に付設されている省略表示２２０２が選択されると、第１関連他業種課題表示画面２２００（３）が表示される。第１関連他業種課題表示画面２２００（３）には、第１関連他業種課題表示画面２２００（２）で表示されていた表示に加えて、仮表示２２０７が示す上位他業種課題のよりさらに一段階抽象度が高い他業種課題が仮表示される（仮表示２２０９）。
【０１０７】
また、仮表示２２０７が選択されると、第１関連他業種課題表示画面２２００（４）が表示される。第１関連他業種課題表示画面２２００（４）では、仮表示２２０７が、確定的な表示である本表示２２１０に変更される。そして、表示２２０３により示されていた上位他業種課題が、省略して表示される（省略表示２２１１）。また、第１関連他業種課題表示画面２２００（２）で表示されていた選択課題抽象度表示２２０８が非表示となり、代わりに、本表示２２１０が示す上位他業種課題の、相対的な抽象度を示す選択課題抽象度表示２２１２が表示される。
【０１０８】
ここで、本表示２２１０に付記されている展開表示２２１３が選択されると、第１関連他業種課題表示画面２２００（５）が表示される。第１関連他業種課題表示画面２２００（５）には、第１関連他業種課題表示画面２２００（１）で表示されていた同順位他業種課題とは異なる同順位他業種課題が仮に表示される（仮表示２２１５）。
【０１０９】
ここで、仮表示２２１５が選択されると、第１関連他業種課題表示画面２２００（６）が表示される。第１関連他業種課題表示画面２２００（６）には、第１関連他業種課題表示画面２２００（５）で表示されていた表示２２０４が非表示となり、代わりに、仮表示２２１５が、確定的な表示である本表示２２１６に変更される。そして、第１関連他業種課題表示画面２２００（５）で表示されていた選択課題抽象度表示２２１２が非表示となり、代わりに、本表示２２１６が示す同順位他業種課題の、相対的な抽象度を示す選択課題抽象度表示２２１７が表示される。
【０１１０】
このように、第１関連他業種課題表示画面２２００では、複数の関連他業種課題（対応他業種課題、上位他業種課題、及び同順位他業種課題）の表示について、これら複数の関連他業種課題の表示位置が、それらの包含関係に応じて決定されていると共に、ユーザからの関連他業種課題の選択を受け付けた際に、選択される他業種業務の候補である複数の他業種業務が表示されている（仮表示されている）。
【０１１１】
以上が、課題パターン参照フェーズの説明である。次に、サービスパターン参照フェーズについて説明する。
【０１１２】
＜サービスパターン参照フェーズ＞
まず、図９のＳ２４０では、サービスデザイン部１２００は、Ｓ２３４で選択された関連他業種課題を情報生成部１３００に送信する。具体的には、サービスパターン表示部１２３０は、Ｓ２３４で選択された関連他業種課題の識別子が課題パターンＩＤ１４１１１に格納されている課題パターンリスト１４１１のレコードの内容（課題パターンＩＤ１４１１１の内容及び課題パターン名称１４１１２の内容）を、サービスパターン抽出部１３３０に送信する。
【０１１３】
続いて、情報生成部１３００は、サービスパターン表示部１２３０が送信した関連他業種課題を受信し、受信した関連他業種課題を解決するサービス（推奨サービスパターン）を取得する（Ｓ３５０）。
【０１１４】
具体的には、サービスパターン抽出部１３３０は、受信した課題パターンリスト１４１１のレコードの課題パターンＩＤ１４１１１の内容が課題パターンＩＤ１４３３に格納されている、サービスパターン情報１４３０のレコードを全て取得し、取得した各レコードの、サービスパターンＩＤ１４３１の内容及びサービスパターン名称１４３２の内容を取得する。
【０１１５】
例えば、サービスパターン抽出部１３３０は、課題パターンＩＤ１４１１１の内容として「ＩＰ００６」を受信した場合、サービスパターンＩＤ１４３１の内容として「ＳＰ００１」等を取得する。これは、「作業段取り効率化」（「ＩＰ００６」に対応する関連他業種課題の名称）という課題を解決するサービスとして、「作業指示」（「ＳＰ０００１」に対応する推奨サービスパターンの名称）があることを示している。
【０１１６】
サービスパターン抽出部１３３０は、Ｓ３５０で抽出した推奨サービスパターンをサービスパターン表示部１２３０に送信することにより、推奨サービスパターンの表示を依頼する（Ｓ３６０）。なお、サービスパターン抽出部１３３０は、後述するＳ３７０の実行を情報生成部１３００に依頼する。
【０１１７】
具体的には、サービスパターン抽出部１３３０は、Ｓ３５０で抽出した、サービスパターンＩＤ１４３１の内容及びサービスパターン名称１４３２の内容を、サービスパターン表示部１２３０に送信する。
【０１１８】
サービスパターン表示部１２３０は、サービスパターン抽出部１３３０から受信した推奨サービスパターンに基づき、推奨サービスパターンに関する情報を表示する（Ｓ２５０）。具体的には、サービスパターン表示部１２３０は、受信した、サービスパターンＩＤ１４３１の内容及びサービスパターン名称１４３２の内容と、Ｓ２４０で取得した、課題パターンＩＤ１４１１１の内容及び課題パターン名称１４１１２の内容とに基づき、推奨サービスパターンに関する情報を表示する。
【０１１９】
サービスデザイン部１２００は、入力インタフェース１６００を介して、Ｓ２５０で表示された推奨サービスパターンから、一つの推奨サービスパターンの選択を受け付ける（Ｓ２５５）。推奨サービスパターンの選択があった場合は（Ｓ２５５：ＹＥＳ）、Ｓ２６０に進み、推奨サービスパターンの選択がなかった場合は、Ｓ２５０に戻る。
【０１２０】
ここで、サービスパターン参照フェーズにおいて出力インタフェース１７００に出力される画面（以下、推奨サービスパターン表示画面という）について説明する。
【０１２１】
図１３は、推奨サービスパターン表示画面の一例を示す図である。同図に示すように、推奨サービスパターン表示画面２３００には、課題情報入力画面８００で表示されていた表示に加えて、推奨サービス表示欄２３０１が設けられている。推奨サービス表示欄２３０１のうち、課題欄２３０２には、Ｓ２４０で取得した関連他業種課題の情報（同図の例では、関連他業種課題の名称として「生産能力向上」）が表示され、サービス欄２３０３にはＳ３６０で取得した推奨サービスパターン（同図の例では、推奨サービスパターンの名称として「作業指示」）が表示される。同図の例では表示される推奨サービスパターンは一つであるが、Ｓ３６０で複数の推奨サービスパターンが取得された場合には、それらを、例えば垂直に整列して表示する。推奨サービスパターン表示画面２３００では、このサービス欄２３０３に表示されている推奨サービスパターンのうち一つの選択を、ユーザから受け付けている。
【０１２２】
以上が、サービスパターン参照フェーズの説明である。以下、サービス事例参照フェーズについて説明する。
【０１２３】
＜サービス事例参照フェーズ＞
図１０に示すように、Ｓ２６０では、サービスデザイン部１２００は、Ｓ２５５で選択された推奨サービスパターンを情報生成部１３００に送信する。
【０１２４】
具体的には、サービス事例表示部１２４０は、Ｓ２５０で受信したサービスパターンＩＤ１４３１の識別子のうち、Ｓ２５５で選択された推奨サービスパターンの識別子を取得し、取得したサービスパターンＩＤ１４３１の識別子、及びこれに対応するサービスパターン名称１４３２の内容を、サービス事例抽出部１３４０に送信する。
【０１２５】
情報生成部１３００は、サービスデザイン部１２００から推奨サービスパターンを受信すると、受信した推奨サービスパターンに対応するサービス事例（推奨サービス事例）を抽出する（Ｓ３７０）。
【０１２６】
具体的には、サービス事例抽出部１３４０は、受信したサービスパターンＩＤ１４３１の内容がサービスパターンＩＤ１４４１２に格納されている、サービス事例リスト１４４１のレコードを全て取得し、取得したレコードのサービス事例ＩＤ１４４１１の内容及びサービス事例名称１４４１３の内容を取得する。
【０１２７】
例えば、図６の例では、サービス事例抽出部１３４０は、サービスパターンＩＤ１４３１の内容として「ＳＰ００１」を受信した場合、サービス事例ＩＤ１４４１１として「ＳＣ００１」を、サービス事例名称１４４１３として「遠隔作業指示サービス」をそれぞれ取得する。
【０１２８】
情報生成部１３００は、Ｓ３７０で抽出した推奨サービス事例に対応する、製品、技術、業務、及び業種に関する情報（以下、推奨サービス製品情報という）を全て取得し、取得した情報を、上記推奨サービス事例と共にサービスデザイン部１２００に送信する（Ｓ３８０）。
【０１２９】
具体的には、サービス事例抽出部１３４０は、Ｓ３７０で抽出した、サービス事例ＩＤ１４４１１の内容がサービス事例ＩＤ１４４３２に格納されている、製品技術適用事例リスト１４４３のレコードを全て取得し、取得した全てのレコードの製品技術ＩＤ１４４３３の内容を取得する。また、サービス事例抽出部１３４０は、Ｓ３７０で抽出した、サービス事例ＩＤ１４４１１の内容が格納されているサービス事例リスト１４４１のレコードの業種業務ＩＤ１４４１４の内容を取得する。そして、サービス事例抽出部１３４０は、取得した製品技術ＩＤ１４４３３の内容、及び取得した業種業務ＩＤ１４４１４の内容を、Ｓ３７０で抽出したサービス事例ＩＤ１４４１１の識別子と対応づけて、サービス事例表示部１２４０に送信する。
【０１３０】
サービスデザイン部１２００は、情報生成部１３００から受信した推奨サービス製品情報に基づき、推奨サービス事例に関する、製品、技術、業務、及び業種に関する情報を表示する（Ｓ２７０）。
【０１３１】
具体的には、サービス事例表示部１２４０は、サービス事例抽出部１３４０から受信した、製品技術ＩＤ１４４３３の内容及び業種業務ＩＤ１４４１４の内容等を表示する。
ここで、サービス事例参照フェーズにおいて出力インタフェース１７００に出力される画面（以下、推奨サービス事例表示画面という）を説明する。
【０１３２】
図１４は、推奨サービス事例表示画面の一例を示す図である。同図に示すように、推奨サービス事例表示画面２４００には、推奨サービスパターン表示画面２３００で表示されていた表示に加えて、推奨サービス事例表示欄２４０１が設けられている。推奨サービス事例表示欄２４０１のうち、他業種欄２４０４には、Ｓ３１０で受信した他業種が表示され、サービス事例欄２４０２には、Ｓ２５０で受信した推奨サービス事例が表示され、製品欄２４０３には、Ｓ２７０で受信した推奨サービス製品情報が表示される。同図の例では、サービス事例欄２４０２には、サービス欄２３０３に表示されている推奨サービスパターン（「作業指示」）に対応する推奨サービス事例である「遠隔作業指示サービス」が表示され、製品欄２４０３には、「遠隔作業指示サービス」なる推奨サービス事例における推奨サービス製品情報である「画像認識」及び「カメラ」が表示されている。なお、同図では一つの推奨サービス事例が表示されているが、複数の推奨サービス事例が表示されることもある。
【０１３３】
以上が、サービス事例参照フェーズの説明である。以下、サービス事例活用フェーズについて説明する。
【０１３４】
＜サービス事例活用フェーズ＞
図１０のＳ２８０に示すように、まず、サービスデザイン部１２００は、入力インタフェース１６００を介して、ユーザから、Ｓ２７０で選択された推奨サービス事例のうちの一つの選択を受け付ける（Ｓ２８０）。推奨サービス事例の選択がされた場合（Ｓ２８０：ＹＥＳ）、サービス事例表示部１２４０は、選択された推奨サービス事例（以下、検討サービス事例ともいう）を取得し、Ｓ２８１に進む。一方、ユーザから選択を終了する旨の入力があった場合には（Ｓ２８０：ＮＯ）、Ｓ２９０に進む。
【０１３５】
具体的には、推奨サービス事例の選択がなされた場合（Ｓ２８０：ＹＥＳ）、サービス事例表示部１２４０は、Ｓ２７０で受信したサービス事例ＩＤ１４４１１の識別子のうち、Ｓ２８０で選択された推奨サービス事例の識別子を取得する。そしてサービス事例表示部１２４０は、取得した推奨サービス事例の識別子に対応づけられている、Ｓ２７０で受信した製品技術ＩＤ１４４２１の内容及び業種業務ＩＤ１４４１４の内容を、記述情報受付部１２１０に送信する。
【０１３６】
Ｓ２８１において、サービスデザイン部１２００は、Ｓ２８０で選択された検討サービス事例を出力する。また、サービスデザイン部１２００は、Ｓ２８０で選択された検討サービス事例と、Ｓ２１０で取得した課題情報とを関連付ける。具体的には、記述情報受付部１２１０は、受信した上記の製品技術ＩＤ１４４２１の内容を対象業務と対応づけて記憶する。その後はＳ２８０に戻る。
【０１３７】
Ｓ２９０では、サービスデザイン部１２００は、Ｓ２８０で選択した検討サービス事例を記憶するか否かの入力を、ユーザから受け付ける。検討サービス事例を記憶する旨の入力があった場合は（Ｓ２９０：ＹＥＳ）、サービスデザイン部１２００は、検討サービス事例を情報生成部１３００に送信し、検討サービス事例を記憶しない旨の入力があった場合は（Ｓ２９０：ＮＯ）、本処理は終了する。
【０１３８】
検討サービス事例を記憶する旨の入力があった場合（Ｓ２９０：ＹＥＳ）、具体的には、記述情報受付部１２１０は、Ｓ２７０で取得したサービス事例ＩＤ１４４１１の識別子に対応づけられている製品技術ＩＤ１４４２１の内容と、Ｓ２７０で取得したサービス事例ＩＤ１４４１１の識別子に対応するサービス事例の名称と、Ｓ２５５で選択された推奨サービスパターンの識別子と、課題情報における対象業務の情報とを情報生成部１３００に送信する。
【０１３９】
他業種情報記憶部１４００は、サービスデザイン部１２００から受信した検討サービス事例の情報を受信し、記憶する（Ｓ４１０）。以上で本処理は終了する。
【０１４０】
具体的には、情報生成部１３００は、サービス事例リスト１４４１に新たなレコードを生成し、生成したレコードのサービス事例ＩＤ１４４１１に識別子を格納すると共に、そのレコードのサービスパターンＩＤ１４４１２に上記受信した推奨サービスパターンの識別子を格納し、そのレコードのサービス事例名称１４４１３に上記受信したサービス事例の名称を格納し、そのレコードの業種業務ＩＤ１４４１４に上記受信した対象業務の内容を格納する。また、情報生成部１３００は、製品技術適用事例リスト１４４３に新たなレコードを生成し、生成したレコードの適用ＩＤ１４４３１に識別子を格納し、そのレコードのサービス事例ＩＤ１４４３２に上記サービス事例ＩＤ１４４１１の識別子を格納し、そのレコードの製品技術ＩＤ１４４３３に上記受信した製品技術ＩＤ１４４２１の内容を格納する。なお、評価情報１４４１５の各項目については、ユーザから入力された情報を格納するようにしてもよいし、サービス事例リスト１４４１の他のレコードの評価情報１４４１５の情報を格納するようにしてもよい。
ここで、サービス事例活用フェーズにおいて出力インタフェース１７００に出力される画面（以下、検討サービス事例活用画面という）について説明する。
【０１４１】
図１５は、検討サービス事例活用画面の一例を示す図である。同図に示すように、検討サービス事例活用画面２５００には、推奨サービス事例表示画面２４００のサービス事例欄２４０２、及び製品欄２４０３に表示されているサービス事例、及びこれに対応づけられているサービス事例製品が、サービス企業が提供するサービス事例、及びサービス事例製品としてそれぞれ、サービス欄２５０２、及び製品技術欄２５０３に表示される。
【０１４２】
＝＝＝業務関連度算出処理Ｓ３３０＝＝＝
ここで、業務関連度算出処理Ｓ３３０の詳細を説明する。
【０１４３】
図１６は、業務関連度算出処理Ｓ３３０を説明するフローチャートである。業務関連度算出処理Ｓ３３０は、Ｓ３２０で取得した関連候補他業種課題のそれぞれについて業務関連度を算出する処理である。
【０１４４】
図１６に示すように、情報生成部１３００は、Ｓ３２０で取得した関連候補他業種課題の一つを選択し（以下、これを選択課題という）、選択した選択課題に対応する業務関連度（以下、選択業務関連度という）を初期化する（Ｓ３３１）。具体的には、関連課題パターン抽出部１３２０は、選択課題に対応する業務関連度を０に設定する。
【０１４５】
なお、Ｓ３３１において選択課題を選択できた場合は（Ｓ３３２：ＹＥＳ）Ｓ３３４に進み、選択課題を選択できなかった場合は（Ｓ３３２：ＮＯ）、本処理は終了する（Ｓ３３３）。
【０１４６】
Ｓ３３４において、情報生成部１３００は、選択課題を解決するサービス（以下、解決サービスともいう）の一つの取得を試みる（Ｓ３３４）。具体的には、関連課題パターン抽出部１３２０は、選択課題を示す識別子が課題パターンＩＤ１４３３に格納されているサービスパターン情報１４３０のレコードを検索し、検索したレコードのサービスパターンＩＤ１４３１の内容及びサービスパターン名称１４３２の内容を取得する。例えば、図２の例では、選択課題の名称が「非生産時間の削減」である場合、「非生産時間の削減」に対応する識別子は「ＩＰ００８」であるので、サービスパターンＩＤ１４３１の「ＩＰ００８」と、サービスパターン名称１４３２の「作業自動化」とが取得される。
【０１４７】
情報生成部１３００が解決サービスを取得できた場合は（Ｓ３３５：ＹＥＳ）、Ｓ３３６に進み、情報生成部１３００が解決サービスを取得できなかった場合は（Ｓ３３５：ＮＯ）、他の選択課題を取得すべくＳ３３１に戻る。
【０１４８】
Ｓ３３６において、情報生成部１３００は、解決サービスに対応するサービス事例（以下、解決事例という）の一つの取得を試みる。具体的には、関連課題パターン抽出部１３２０は、Ｓ３３２で取得したサービスパターンＩＤ１４４１２の内容がサービスパターンＩＤ１４４１２に格納されている、サービス事例リスト１４４１のレコードを検索し、そのレコードのサービス事例ＩＤ１４４１１の内容及びサービス事例名称１４４１３の内容の取得を試みる。
【０１４９】
情報生成部１３００が解決事例を取得できた場合は（Ｓ３３７：ＹＥＳ）、Ｓ３３８に進み、情報生成部１３００が解決事例を取得できなかった場合は（Ｓ３３７：ＮＯ）、他の解決サービスを取得するべくＳ３３４に戻る。
【０１５０】
例えば、図５、６の例において、解決サービスに対応するサービスパターンＩＤ１４３１が「作業自動化」であれば、解決事例に対応するサービス事例名称１４４１３として「レポート自動作成」が取得される。
【０１５１】
Ｓ３３８において、情報生成部１３００は、Ｓ３３６で取得した解決事例に対応する業務が、Ｓ３１５で取得した上位他業種課題の業務に対応しているか否かを判断する。具体的には、例えば、関連課題パターン抽出部１３２０は、Ｓ３３６で取得したサービス事例リスト１４４１のレコードの業種業務ＩＤ１４４１４の内容（識別子）を取得し、取得した識別子が示す業務が対象業務に含まれているか否かを判断する。
【０１５２】
例えば、図４、６の例において、Ｓ３３４で取得したレコードの業種業務ＩＤ１４４１４が「ＢＰ００２」であり、そのレコードのサービス事例名称１４４１３が「レポート自動作成」である場合、「ＢＰ００２」が業種業務ＩＤ１４２１に格納されている業種業務情報１４２０のレコードにおける業種１４２２は「建設」である。従って、対象業務が「建設」なる文字列を含んでいれば、解決事例に対応する業務は上位他業種課題の業務に対応していると判断される。
【０１５３】
解決事例に対応する業務が上位他業種課題の業務に対応している場合には（Ｓ３３８：ＹＥＳ）、Ｓ３３９に進み、解決事例に対応する業務が上位他業種課題の業務に対応していない場合には（Ｓ３３８：ＮＯ）、他のサービス事例の取得をすべくＳ３３６に進む。
【０１５４】
Ｓ３３９において、情報生成部１３００は、Ｓ３３６で取得した解決事例に対応する業務と、Ｓ３１５で取得した上位関連他業種課題に対応する業務との類似度を算出し、算出した類似度を選択業務関連度に加算する。その後はＳ３３６に戻る。
【０１５５】
具体的には、関連課題パターン抽出部１３２０は、Ｓ３３６で取得したサービス事例リスト１４４１のレコードの業種業務ＩＤ１４４１４が示す業務と、Ｓ３１５で取得した対象業務との類似度を算出する。
【０１５６】
例えば、図６の例では、Ｓ３３６で取得したサービス事例の名称が「レポート自動作成」である場合、「レポート自動作成」がサービス事例名称１４４１３に格納されているサービス事例リスト１４４１のレコードの業種業務ＩＤは「ＢＰ００２」であり、「ＢＰ００２」が業種業務ＩＤ１４２１に格納されている業種業務情報１４２０のレコードの業務特性１４２４の内容は、「信頼性：中、安全性：高、設備コスト：中、故障リスク：低」（それぞれ、信頼性１４２５、安全性１４２６、設備コスト１４２７、及び故障リスク１４２８の各項目）である。一方、対象業種が「電力」、対象業務が「運用」である場合、これらが業種１４２２及び業務１４２３に格納されている業種業務情報１４２０のレコードにおける業務特性は、「信頼性：高、安全性：高、設備コスト：高、故障リスク：高」（それぞれ、信頼性１４２５、安全性１４２６、及び設備コスト１４２７、故障リスク１４２８の各項目）である。両者の業務特性の内容を比較すると、「４」つの業務特性の項目のうち「１」つの業務特性の内容（高低）が等しいので、類似度は、１／４＝０．２５となる。
【０１５７】
このように、関連課題パターン抽出部１３２０は、関連候補他業種課題のそれぞれについて、対象業務が示す特性と、それぞれの関連候補他業種課題を解決するサービス事例における業務が示す特性との類似度を算出し、算出した類似度を用いて、業務関連度を算出する。
【０１５８】
なお、本実施形態では、Ｓ３３８において、解決事例に対応するサービス事例の業務が、上位他業種課題の業務に対応しているか否かによって、業務関連度の算出の是非を判断しているが、他の判断基準によって業務関連度の算出の是非を判断するようにしてもよい。例えば、業種又は業務ごとに設定された類似度を業務特性の情報に基づき算出し、算出した類似度に対して、業種又は業務ごとに設定された重み付けを施す（例えば、重み付けの値を乗算する）ことにより、業務関連度を算出してもよい。また、例えば、サービス事例リスト１４４１の評価情報１４４１５のそれぞれの各項目に対する重み付けの値を定義し、前記類似度にこの重み付けの値を施すようにしてもよい。
【０１５９】
＝＝＝第２他業種課題サービス表示処理Ｓ５００＝＝＝
次に、第２他業種課題サービス表示処理Ｓ５００について説明する。
【０１６０】
第２他業種課題サービス表示処理Ｓ５００は、第１課題サービス表示処理Ｓ２００と同様に、対応業務に関連する関連候補他業種課題から関連他業種課題を抽出し、抽出した関連他業務課題から推奨サービスパターンや推奨サービス事例を表示する処理である。ただし、課題サービス表示処理Ｓ２００では、関連候補他業種課題として対応他業種課題よりも抽象度が高い他業種課題（祖先の他業種課題）を抽出したが、第２他業種課題サービス表示処理Ｓ５００では、関連候補他業種課題として対応他業種課題よりも抽象度が低い他業種課題（子孫の他業種課題。以下、下位他業種課題ともいう）を抽出する。
【０１６１】
図１７、１８は、第２他業種課題サービス表示処理Ｓ５００を説明するフローチャートである。図１７に示すように、Ｓ２１０、Ｓ３１０の処理は課題サービス表示処理Ｓ２００と同様である。
【０１６２】
情報生成部１３００は、Ｓ３１０で対応他業種課題を取得した後、下位他業種課題を検索する（Ｓ３２５）。
【０１６３】
具体的には、関連課題パターン抽出部１３２０は、課題パターン情報１４１０の課題パターンリスト１４１１から、課題パターン名称１４１１２に対応他業種課題の内容が格納されているレコードの課題パターンＩＤ１４１１１の識別子を検索する。そして関連課題パターン抽出部１３２０は、上記検索に成功した場合、課題構造情報リスト１４１２のうち、親課題パターンＩＤ１４１２２に上記取得した識別子が格納されているレコードの子課題パターンＩＤ１４１２３の内容を取得し、取得した内容を、下位他業種課題として取得する。
【０１６４】
例えば、対応他業種課題の名称が「生産能力向上」（課題パターンＩＤ１４１１１が「ＩＰ００９」）である場合、関連課題パターン抽出部１３２０は、下位他業種課題として、「教育の徹底」（構造情報ＩＤが「ＳＩ００９」）、「最適道具の選択」（構造情報ＩＤが「ＳＩ００８」）、及び「作業段取り効率化」（構造情報ＩＤが「ＳＩ０１０」）のそれぞれを下位他業種課題として取得する。
【０１６５】
下位他業種課題の検索に成功した場合は（Ｓ３２６：ＹＥＳ）、関連課題パターン抽出部１３２０はこれを関連候補他業種課題として取得してＳ３３０の処理を行い（Ｓ３２０）、下位他業種課題の検索に失敗した場合は（Ｓ３２６：ＮＯ）、本処理は終了する（Ｓ３２７）。
【０１６６】
Ｓ３３０において、情報生成部１３００（具体的には関連課題パターン抽出部１３２０）は、Ｓ３２５で算出した関連他業種課題（下位他業種課題）のそれぞれについて、第１課題サービス表示処理Ｓ２００の場合と同様に業務関連度を算出する。そして、情報生成部１３００（具体的には関連課題パターン抽出部１３２０）は、Ｓ３３０で算出した業務関連度のそれぞれに基づき、下位他業種課題のなかから関連他業種課題を選択し、選択した関連他業種課題をサービスデザイン部１２００に送信する（Ｓ３４０）。
【０１６７】
なお、本実施形態では、下位他業種課題として、業務関連度が最も高い２つの下位他業種課題を、それぞれ関連他業種課題として取得するものとする。
【０１６８】
課題パターンナビゲーション部１２２０は、関連課題パターン抽出部１３２０が送信した関連他業種課題を受信し、受信した関連他業種課題を表示する（Ｓ２２０）。以降の処理（Ｓ２３０以降の処理）は、課題サービス表示処理Ｓ２００の場合と同様である。
【０１６９】
ここで、課題パターン参照フェーズにおいて出力インタフェース１６００に出力される画面（以下、第２関連他業種課題表示画面という）について説明する。
【０１７０】
図１９は、第２関連他業種課題表示画面の一例を示す図である。同図に示すように、第２関連他業種課題表示画面３１００には、関連他業種課題の表示がなされる（対応他業種課題の表示３１０１、及び２つの下位他業種課題の表示３１０２）。また、これらの関連他業種課題の親子関係が矢印３１０５で表示される。
【０１７１】
また、第２関連他業種課題表示画面３１００にはスライドバー３１０７が設けられている。スライドバー３１０７は、「抽象」及び「具体」の２つの選択肢を備えており、第２他業種課題サービス表示処理Ｓ５００を実行中は「具体」が選択されている。ユーザがこのスライドバー３１０７において「抽象」を選択すると、第１他業種課題サービス表示処理Ｓ２００が実行される。これにより、表示する関連他業種課題の抽象度を変更することが可能である。
【０１７２】
また、第２関連他業種課題表示画面３１００は、表示されている関連他業種課題の、相対的な抽象度を表すインジケータ３１０８を有している。これは、第１関連他業種課題表示画面２１００のインジケータ２１０８と同様である。
【０１７３】
さらに、第２関連他業種課題表示画面について、他の例を説明する。
【０１７４】
図２０は、第２関連他業種課題表示画面の他の例（第２関連他業種課題表示画面３２００）を示す図である。同図に示すように、第２関連他業種課題表示画面３２００（１）には、関連他業種課題が表示される（対応他業種課題の表示３２０１、上位他業種課題の表示３２０３、及び同順位他業種課題の表示３２０４）。また、これらの関連他業種課題の親子関係が、矢印３２０５で示される。また、第２関連他業種課題表示画面３２００（１）には、対応他業種課題の相対的な抽象度を示す抽象度表示３２０６が設けられている。
【０１７５】
ここで、対応他業種課題の表示３２０１に付記されている展開表示３２０２が選択されると、第２関連他業種課題表示画面３２００（２）が表示される。第２関連他業種課題表示画面３２００（２）には、第２関連他業種課題表示画面３２００（１）で表示されていた表示に加えて、対応他業種課題より一段階抽象度が低い他業種課題が仮に表示される（仮表示３２０７）。
【０１７６】
また、展開表示３２０２が再び選択されると、第２関連他業種課題表示画面３２００（３）が表示される。第２関連他業種課題表示画面３２００（３）には、第２関連他業種課題表示画面３２００（２）で表示されていた表示に加えて、対応他業種課題より一段階抽象度が低い（子である）他業種課題（第２関連他業種課題表示画面３２００（２）で表示されていた他業種課題とは異なる他業種課題）が仮に表示される（仮表示３２０８、仮表示３２０９）。
【０１７７】
そして、仮に表示された仮表示３２０７、仮表示３２０８、及び仮表示３２０９のうち仮表示３２０７が選択されると、仮表示３２０８及び仮表示３２０９が非表示となった第２関連他業種課題表示画面３２００（４）が表示される。第２関連他業種課題表示画面３２００（４）には、仮表示３２０７が示す他業種課題の相対的な抽象度を示す選択課題抽象度表示３２１１が表示される。そして、仮表示３２０７に付記されている展開表示３２１５が選択されると、仮表示３２０７が示す他業種課題の子である、一段階抽象度が低い２つの他業種課題が仮に表示される（仮表示３２０９、仮表示３２１０）。
【０１７８】
ここで、仮表示３２１０が選択されると、第２関連他業種課題表示画面３２００（５）が表示される。第２関連他業種課題表示画面３２００（５）には、仮表示３２１０の代わりに、確定的な表示である本表示３２１２が表示されると共に、対応他業種課題の表示３２０１と、対応他業種課題の子である他業種課題の仮表示３２０７とを省略して表示する表示である省略表示３２１３が表示される。また、第２関連他業種課題表示画面３２００（５）には、選択課題抽象度表示３２１１の代わりに、本表示３２１２が示す他業種課題の相対的な抽象度を示す選択課題抽象度表示３２１４が表示される。
【０１７９】
ここで、省略表示３２１３が選択されると、第２関連他業種課題表示画面３２００（６）が表示される。第２関連他業種課題表示画面３２００（６）では、省略して表示されていた、対応他業種課題の子である他業種課題の仮表示３２０７が再び表示される。
【０１８０】
このように、第２関連他業種課題表示画面３２００では、複数の関連他業種課題（対応他業種課題、及び下位他業種課題）の表示において、これら複数の関連他業種課題の表示位置が、それらの包含関係に応じて決定されると共に、ユーザからの関連他業種課題の選択を受け付けた際に、選択される他業種業務の候補である複数の他業種業務が表示される（仮表示される）。
【０１８１】
以上のように、本実施形態のサービス提供システム１０００は、事業者の対象業種、及び対象課題を取得し、他業種課題関係に基づき、対象課題に対応する他業種課題と関連性が高い関連他業種課題を抽出し、抽出した他業種課題を解決する他業種サービスのうち、対象業種に対応する他業種の業務における他業種サービスを抽出し、抽出した他業種サービスを出力するので、顧客等の事業者が有する課題を解決するためのサービス情報を、顧客の業種と異なる他業種における業務において課題を解決したことのあるサービスから提供することができる。
また、上記の他業種の課題は顧客の課題と包含関係があり、上記の他業種における業務は顧客の業務と関連性があるので、提供されるサービス情報は、顧客の課題や業務と深く関連している。
従って、本実施形態のサービス提供システム１０００によれば、顧客等の事業者が有する課題を適切に解決するためのサービス情報を提供することができる。
【０１８２】
また、本実施形態のサービス提供システム１０００は、関連他業種課題として、対象課題に対応する他業種課題を包含する他業種課題（抽象化された課題）を抽出するか、又は、対象課題に対応する他業種課題に包含される他業種課題（具体化された課題）を抽出するかの選択を受け付け、この選択の結果に基づき関連他業種課題を抽出するので、顧客等の事業者が有する課題に対応した柔軟なサービス情報を提供することができる。
【０１８３】
また、本実施形態のサービス提供システム１０００は、他業種課題の選択を受け付け、選択を受け付けた他業種課題に対応する他業種課題と関連性が高い他業種課題を抽出して出力する（第１関連他業種課題表示画面、第２関連他業種課題表示画面）ので、顧客等の事業者は、複数の他業種課題から自身にとって適切な課題に対応する他業種サービスの情報の提供を受けることができる。
【０１８４】
また、本実施形態のサービス提供システム１０００は、他業種のサービスを解決した事例において利用された製品又は技術に関する情報を出力するので（図１４等参照）、顧客等の事業者が有する課題を解決するためのサービスにおける具体的な適切な事例を提供することができる。
【０１８５】
また、本実施形態のサービス提供システム１０００は、抽出された他業種サービスにおいて利用された製品又は技術に関する情報を、対象業種における業務と対応づけて記憶する（サービス事例リスト１４４１）ので、このサービス事例リスト１４４１を用いて、他の顧客等の事業者に対しても、課題解決に資するさらに有用なサービス情報を提供することができる。
【０１８６】
また、本実施形態のサービス提供システム１０００は、各他業種課題の相対的な抽象性を示す情報を出力する（インジケータ２１０８、インジケータ３１０８）ので、顧客等の事業者は、自身が解決すべき課題の抽象性に応じたサービス情報の提供を受けることができる。
【０１８７】
また、本実施形態のサービス提供システム１０００は、他業種サービスにおける業務が対象課題に対応する他業種課題における業務に含まれているか否かと、業務に対する評価値の類似性に基づいて算出された業務関連度に基づき、関連他業種課題を抽出するので、顧客等の事業者は、自身が解決すべき課題と関連性が高い他業種のサービスの情報の提供を受けることができる。
【０１８８】
また、本実施形態のサービス提供システム１０００は、対象課題に対応する他業種課題に包含される他業種課題を抽出する（前記他業種課題とは異なる）ので、顧客等の事業者は、対象課題よりも抽象性の高い他業種の課題や、抽象度は同等であるが、他の観点から対象課題を解決するサービスの情報の提供を受けることができる。これにより、顧客等の事業者は、自身が有する課題を広くかつ柔軟に解決することができる。
【０１８９】
また、本実施形態のサービス提供システム１０００は、対象課題に対応する他業種課題に包含される他業種課題を抽出するので、顧客等の事業者は、対象課題よりも具体性の高い他業種の課題を解決するサービスの情報の提供を受けることができる。これにより、顧客等の事業者は、自身が有する課題を確実に解決することができる。
【０１９０】
また、本実施形態のサービス提供システム１０００は、他業種課題のうちの一部を省略して出力する（省略表示２２１１、省略表示３２１３）ので、顧客等の事業者は、関心のある他業種の課題を効率よく選択し、自身が有する課題を解決するサービスの提供を迅速に受けることができる。
【０１９１】
このように、本実施形態のサービス提供システム１０００によれば、サービス企業や顧客は、いわゆる異業種アナロジーにより、他業種の課題のうち、顧客に推奨するに適した抽象度の課題を発見することができる。すなわち、サービス企業は、顧客協創型のサービスを的確に設計し、顧客との対話によって得られた業務課題を解決できるような、他の事業分野における事例を提供し、推薦することができるようになる。
【０１９２】
以上、本発明を実施するための形態などについて具体的に説明したが、本発明はこれに限定されるものではなく、その要旨を逸脱しない範囲で種々変更可能である。
【０１９３】
例えば、本実施形態では、第１他業種課題サービス表示処理Ｓ２００において、上位他業種課題が取得できなかった場合に、下位他業種課題をするようにしたが、ユーザが予め、第１他業種課題サービス表示処理Ｓ２００を実行するか、又は第２他業種課題サービス表示処理Ｓ５００を実行するかを選択できるようにしてもよい。
【符号の説明】
【０１９４】
１０００  サービス提供システム、１２１１  対象情報取得部、１２２１  課題出力部、１２２２  課題抽象度選択部、１２３１  他業種サービス出力部、１２４０  サービス事例表示部、１３２１  関連他業種課題抽出部、１３２１１  業務関連度算出部、１３３１  他業種サービス抽出部、１３５０  サービス事例登録部、Ｓ１０  サービス事例提供処理、Ｓ２００  第１他業種課題サービス表示処理、Ｓ３３０  業務関連度算出処理、Ｓ５００  第２他業種課題サービス表示処理
【図１】
2017168527.tif 000003
【図２】
2017168527.tif 000004
【図３】
2017168527.tif 000005
【図４】
2017168527.tif 000006
【図５】
2017168527.tif 000007
【図６】
2017168527.tif 000008
【図７】
2017168527.tif 000009
【図８】
2017168527.tif 000010
【図９】
2017168527.tif 000011
【図１０】
2017168527.tif 000012
【図１１】
2017168527.tif 000013
【図１２】
2017168527.tif 000014
【図１３】
2017168527.tif 000015
【図１４】
2017168527.tif 000016
【図１５】
2017168527.tif 000017
【図１６】
2017168527.tif 000018
【図１７】
2017168527.tif 000019
【図１８】
2017168527.tif 000020
【図１９】
2017168527.tif 000021
【図２０】
2017168527.tif 000022
【国際調査報告】
2017168527.tif 000023
2017168527.tif 000024